(57)【特許請求の範囲】
【請求項１】
動物用保護カラーであって、前記動物用保護カラーは、
扇形状のマルチパネルアレイであって、
第１の材料の少なくとも１つの層を備える少なくとも１つの第１のパネルと、
第２の材料の少なくとも１つの層を備える少なくとも１つの第２のパネルと、
上部縁と、
底部縁と、
第１の端部と、
第２の端部と
を有する扇形状のマルチパネルアレイと、
少なくとも１つの閉鎖機構と
を備え、
前記少なくとも１つの第１のパネルおよび前記少なくとも１つの第２のパネルは、隣接し、
前記少なくとも１つの第１のパネルおよび前記少なくとも１つの第２のパネルは、前記上部縁から前記底部縁まで延在し、
前記第１の材料は、透明または非透明のいずれかであり、前記第２の材料は、透明であり、
前記上部縁は、前記底部縁の長さよりも短い長さであり、
前記閉鎖機構は、前記第１の端部を前記第２の端部に取り付けることが３次元円錐台状構造を形成するように、前記第１の端部を前記第２の端部に取り付ける、
動物用保護カラー。
【請求項２】
前記少なくとも１つの第１のパネルおよび前記少なくとも１つの第２のパネルは、交互構成にある、請求項１に記載の動物用保護カラー。
【請求項３】
前記第１の材料は、キャンバス、デニム、室内装飾用布地、合成布地、複合布地、プラスチック、ゴム、シリコーン、反射材料、ポリエチレン、ポリプロピレン、およびメッシュのうちの少なくとも１つである、請求項１〜２のいずれか１項に記載の動物用保護カラー。
【請求項４】
前記第２の材料は、透明プラスチック、ポリエチレン、ポリプロピレン、およびゴムのうちの少なくとも１つである、請求項１〜３のいずれか１項に記載の動物用保護カラー。
【請求項５】
前記少なくとも１つの第１のパネルおよび前記少なくとも１つの第２のパネルは、縫着、糊着、接着、および高周波溶接のうちの少なくとも１つによって恒久的に取り付けられる、請求項１〜４のいずれか１項に記載の動物用保護カラー。
【請求項６】
前記少なくとも１つの第１のパネルおよび前記少なくとも１つの第２のパネルは、フックおよびループ、ならびに、取り外し可能両面テープのうちの少なくとも１つによって非恒久的に取り付けられる、請求項１〜５のいずれか１項に記載の動物用保護カラー。
【請求項７】
前記閉鎖機構は、フックおよびループ、スナップ、ジッパ、フロッグ、クリップ、ボタン、ボタンバックル、クイックリリースバックル、ならびに、かぎホック留めのうちの少なくとも１つである、請求項１〜６のいずれか一項に記載の動物用保護カラー。
【請求項８】
前記閉鎖機構は、調節可能であり、前記閉鎖機構は、前記閉鎖機構が前記動物保護用カラーのサイズを調節するように、少なくとも２つの取付点を含む、請求項１〜７のいずれか一項に記載の動物用保護カラー。
【請求項９】
前記上部縁は、少なくとも１つのループを備え、前記ループのサイズは、固定されているまたは調節可能であり、標準的ペット用カラーに適応する、請求項１〜８のいずれか一項に記載の動物用保護カラー。
【請求項１０】
前記少なくとも第１のパネルおよび前記少なくとも第２のパネルのうちの少なくとも１つは、支持リブを備え、前記支持リブは、プラスチック、ファイバガラス、および木材のうちの少なくとも１つであり、前記支持リブが前記上部縁に前記底部縁に垂直であり、かつ、前記支持リブが前記上部縁から前記底部縁まで測定される長さの少なくとも半分である長さであるように、前記支持リブは、前記少なくとも１つの第１のパネルの中心、前記少なくとも１つの第２のパネルの中心、および、前記少なくとも１つの第１のパネルおよび前記少なくとも１つの第２のパネルが取り付く縫目に沿ってのうちの少なくとも１つ内に位置付けられる、請求項１から９のいずれか１項に記載の動物用保護カラー。
【請求項１１】
前記少なくとも第１のパネルおよび前記少なくとも第２のパネルのうちの少なくとも１つは、支持リブを備え、前記支持リブは、プラスチック、ファイバガラス、および木材のうちの少なくとも１つであり、前記支持リブが前記上部縁におよび前記底部縁に平行であり、かつ、前記支持リブが前記少なくとも第１のパネルの幅および前記少なくとも第２のパネルの幅よりも小さい長さであるように、前記支持リブは、前記少なくとも１つの第１のパネルの中心、前記少なくとも１つの第２のパネルの中心、および、前記底部縁に沿ってのうちの少なくとも１つ内に位置付けられる、請求項１から１０のいずれか１項に記載の動物用保護カラー。
【請求項１２】
前記第１の端部、前記上部縁、前記第２の端部、および前記底部縁に沿って延在する境界をさらに備え、前記境界の材料は、ナイロンウェビング、反射テープ、接着縁取り、およびバイアステープのうちの少なくとも１つである、請求項１〜１１のいずれか１項に記載の動物用保護カラー。
【請求項１３】
前記少なくとも１つの第１のパネルおよび前記少なくとも１つの第２のパネルの形状は、台形である、請求項１〜１２のいずれか一項に記載の動物用保護カラー。
【請求項１４】
前記第１の材料の前記少なくとも１つの層および前記第２の材料の前記少なくとも１つの層のうちの少なくとも１つは、プラスチック、ファイバガラス、および木材のうちの少なくとも１つである支持リブを固着するように構成され、これにより、前記支持リブは、前記閉鎖機構が前記第１の端部を前記第２の端部に取り付けるときに、前記３次元円錐台状構造の形状を維持する、請求項１〜１３のいずれか一項に記載の動物用保護カラー。
【発明の詳細な説明】
【技術分野】
【０００１】
（関連出願）
本願は、２０１５年９月１８日に出願された米国仮出願第６２／２２０，８４４号（発明の名称「Ａｄｊｕｓｔａｂｌｅ  Ｐｒｏｔｅｃｔｉｖｅ  Ｃｏｌｌａｒ」）および２０１５年９月２２日に出願された米国仮出願第６２／２２２，１０１号（発明の名称「Ａｄｊｕｓｔａｂｌｅ  Ｐｒｏｔｅｃｔｉｖｅ  Ｃｏｌｌａｒ」）の利益を主張する。すべての先行する出願の内容全体が、本明細書に参照によって援用される。
【０００２】
（技術分野）
本開示は、装着対象のための可視性を増加させるクリアパネルを有する動物用保護カラーに関する。カラーは、略円錐台状形状であり、軽量かつ調節可能である。カラーは、組立が容易であり、保管のために折畳されることができる。
【背景技術】
【０００３】
（背景）
エリザベスカラー、ｅ−カラー、ペットコーン、ランプシェード、またはコーン・オブ・シェイムと一般に称される、動物用保護カラーは、略円錐台状形状であり、カラーが動物の頭部の周囲で上向きおよび外向きに延在する状態で動物の頸部の周囲に装着されるように設計される。カラーは、概して、動物が、動物の身体上の創傷または罹患区域を舐めることまたは噛むことを防止するために使用される。また、カラーは、動物の頭部または頸部を爪で掻くことまたは擦ることから保護するためにも使用されることができる。
【０００４】
動物用保護カラーは、一般に、動物が外科手術手技を受けた後、動物が、外科手術部位をさらに悪化させること、または縫合糸を断裂させることを防止し、部位の継続炎症に起因する感染症のリスクを減少させるために使用される。しかしながら、カラーはまた、動物が局所的に塗布された薬剤等の製品を舐めることを防止する、または動物が過度の毛繕いを行うことを防止するためにも使用されることができる。
【発明の概要】
【発明が解決しようとする課題】
【０００５】
典型的には、動物用保護カラーは、プラスチックまたは板紙等の可撓性であるが非常に剛性の材料から作製される。材料の剛性は、動物がその身体上の創傷または罹患区域にアクセスすることを防止し、材料が剛性であるほど、より良好に、頭部を隔離された状態に保つ。しかしながら、材料の剛性は、カラーを装着している動物の快適性と負に相関する傾向にある。剛性の増加はまた、カラーの重量を増加させる傾向にあり、カラーの重量の増加は、ひいては、装着対象上の擦傷を増加させる。また、材料がより剛性であるほど、動物が動き回ることがより困難になり、動物が物体に衝突する場合、動物にとってより不快となる。加えて、材料がより剛性であるほど、動物が家具、壁、および／または人々に衝突する場合、家具、壁、および／または人々に生じる損傷がより多くなる。さらに、材料がより剛性であるほど、保護カラーが保管のために圧潰され得る可能性が低くなる。最後に、動物用保護カラーは、装着対象の視覚を遮断し、動物を物に衝突させる。故に、装着対象にとって機能的かつ快適な動物用保護カラーの必要性がある。
本発明は、例えば、以下を提供する。
（項目１）
動物用保護カラーであって、前記動物用保護カラーは、
２次元扇形状のマルチパネルアレイであって、
第１の材料の少なくとも１つの層を備える少なくとも１つの第１のパネルと、
第２の材料の少なくとも１つの層を備える少なくとも１つの第２のパネルと、
上部縁と、
底部縁と、
第１の端部と、
第２の端部と
を備える２次元扇形状のマルチパネルアレイと、
少なくとも１つの閉鎖機構と
を備え、
前記少なくとも１つの第１のパネルおよび少なくとも１つの第２のパネルは、相互に隣接し、
前記少なくとも１つの第１のパネルおよび前記少なくとも１つの第２のパネルは、前記上部縁から前記底部縁まで延在する長さを有し、
前記第１の材料は、透明または非透明のいずれかであり、前記第２の材料は、透明であり、
前記上部縁は、前記底部縁より短く、
閉鎖部は、前記第１の端部を前記第２の端部に取り付け、
前記第２の端部への前記第１の端部の取付は、３次元円錐台状構造を形成する、
動物用保護カラー。
（項目２）
少なくとも２つの第２のパネルをさらに備える、項目１に記載の動物用保護カラー。
（項目３）
前記少なくとも２つの第２のパネルは、第１のパネルによって分離される、項目２に記載の動物用保護カラー。
（項目４）
前記少なくとも２つの第２のパネルは、前記第１の端部および第２の端部が取り付けられると、反対側に位置付けられる、項目２に記載の動物用保護カラー。
（項目５）
少なくとも３つの第２のパネルをさらに備える、項目１に記載の動物用保護カラー。
（項目６）
少なくとも２つの第１のパネルをさらに備え、前記少なくとも２つの第１のパネルは、前記少なくとも３つの第２のパネルを分離する、項目５に記載の動物用保護カラー。
（項目７）
前記少なくとも３つの第２のパネルは、前記第１の端部および第２の端部が取り付けられると、前記３つのパネルのうちの２つが反対側にあるように位置付けられる、項目６に記載の動物用保護カラー。
（項目８）
前記第１のパネルおよび第２のパネルは、交互構成にある、項目１に記載の動物用保護カラー。
（項目９）
前記第１のパネルはさらに、前記第１の材料の少なくとも２つの層を備える、項目１〜８のいずれか１項に記載の動物用保護カラー。
（項目１０）
前記第１のパネルはさらに、前記第１の材料の少なくとも１つの層と、第３の材料の少なくとも１つの層とを備える、項目１〜９のいずれか１項に記載の動物用保護カラー。
（項目１１）
前記第１の材料は、キャンバス、デニム、室内装飾用布地、合成布地、複合布地、プラスチック、ゴム、シリコーン、反射材料、アーセル、ポリエチレン、ポリプロ、ポリプロピレン、およびメッシュから成る群から選択される、項目１〜１０のいずれか１項に記載の動物用保護カラー。
（項目１２）
前記第２の材料は、プラスチックおよびゴムから成る群から選択される、項目１〜１１のいずれか１項に記載の動物用保護カラー。
（項目１３）
前記少なくとも１つの第１のパネルおよび前記少なくとも１つの第２のパネルは、ともに糊着される、項目１〜１２のいずれか１項に記載の動物用保護カラー。
（項目１４）
前記少なくとも１つの第１のパネルおよび前記少なくとも１つの第２のパネルは、ともに縫着される、項目１〜１３のいずれか１項に記載の動物用保護カラー。
（項目１５）
前記少なくとも１つの第１のパネルおよび前記少なくとも１つの第２のパネルは、ともにテープ留めされる、項目１〜１４のいずれか１項に記載の動物用保護カラー。
（項目１６）
前記少なくとも１つの第１のパネルおよび前記少なくとも１つの第２のパネルは、ともに高周波溶接される、項目１〜１５のいずれか１項に記載の動物用保護カラー。
（項目１７）
前記少なくとも１つの第１のパネルおよび前記少なくとも１つの第２のパネルは、締結機構を使用してともに保持される、項目１〜１６のいずれか１項に記載の動物用保護カラー。
（項目１８）
前記締結機構は、フックおよびループ、スナップ、ジッパ、ならびに、かぎホック留めから成る群から選択される、項目１７に記載の動物用保護カラー。
（項目１９）
複数の閉鎖機構をさらに備え、前記複数の閉鎖機構は、前記３次元円錐台状構造に組み立てられると、１つよりも多いサイズを可能にするように配列される、項目１に記載の動物用保護カラー。
（項目２０）
前記少なくとも１つの閉鎖機構は、フックおよびループ、スナップ、ボタン、フロッグ、クリップ、バックル、ジッパ、ならびに、クイックリリースバックルから成る群から選択される、項目１〜１９のいずれか１項に記載の動物用保護カラー。
（項目２１）
前記上部縁に取り付けられる少なくとも１つのループをさらに備え、前記ループは、標準的ペット用カラーに適応するために十分に大きい、項目１に記載の動物用保護カラー。
（項目２２）
前記上部縁に取り付けられる少なくとも２つのループをさらに備え、前記ループは、標準的ペット用カラーに適応するために十分に大きい、項目１に記載の動物用保護カラー。
（項目２３）
前記上部縁に取り付けられる少なくとも３つのループをさらに備え、前記ループは、標準的ペット用カラーに適応するために十分に大きい、項目１に記載の動物用保護カラー。
（項目２４）
前記上部縁に取り付けられる少なくとも４つのループをさらに備え、前記ループは、標準的ペット用カラーに適応するために十分に大きい、項目１に記載の動物用保護カラー。
（項目２５）
前記上部縁から延在する縁取りをさらに備える、項目１に記載の動物用保護カラー。
（項目２６）
少なくとも１つの支持リブをさらに備え、前記支持リブは、前記上部縁から前記底部縁まで測定される長さの少なくとも半分であり、前記支持リブは、本質的に、前記上部縁に前記底部縁に垂直である、項目１から２５のいずれか１項に記載の動物用保護カラー。
（項目２７）
少なくとも２つの支持リブをさらに備え、前記支持リブは、前記上部縁から前記底部縁まで測定される長さの少なくとも半分であり、前記支持リブは、本質的に、前記上部縁に前記底部縁に垂直である、項目１から２５のいずれか１項に記載の動物用保護カラー。
（項目２８）
少なくとも３つの支持リブをさらに備え、前記支持リブは、前記上部縁から前記底部縁まで測定される長さの少なくとも半分であり、前記支持リブは、本質的に、前記上部縁に前記底部縁に垂直である、項目１から２５のいずれか１項に記載の動物用保護カラー。
（項目２９）
少なくとも４つの支持リブをさらに備え、前記支持リブは、前記上部縁から前記底部縁まで測定される長さの少なくとも半分であり、前記支持リブは、本質的に、前記上部縁におよび前記底部縁に垂直である、項目１から２５のいずれか１項に記載の動物用保護カラー。
（項目３０）
少なくとも１つの支持リブをさらに備え、前記支持リブは、本質的に、前記上部縁におよび前記底部縁に平行である、項目１から２５のいずれか１項に記載の動物用保護カラー。
（項目３１）
少なくとも２つの支持リブをさらに備え、前記支持リブは、本質的に、前記上部縁におよび前記底部縁に平行である、項目１から２５のいずれか１項に記載の動物用保護カラー。
（項目３２）
少なくとも３つの支持リブをさらに備え、前記支持リブは、本質的に、前記上部縁におよび前記底部縁に平行である、項目１から２５のいずれか１項に記載の動物用保護カラー。
（項目３３）
少なくとも４つの支持リブをさらに備え、前記支持リブは、本質的に、前記上部縁におよび前記底部縁に平行である、項目１から２５のいずれか１項に記載の動物用保護カラー。
（項目３４）
前記上部縁、前記底部縁、前記第１の端部、および前記第２の端部に沿って境界材料をさらに備える、項目１〜３３のいずれか１項に記載の動物用保護カラー。
（項目３５）
前記境界材料は、ナイロンウェビング、反射テープ、接着縁取り、およびバイアステープから成る群から選択される、項目３３に記載の動物用保護カラー。
（項目３６）
動物がその身体上の区域を舐める、噛む、または掻く能力を制限する方法であって、前記方法は、
項目１〜３５のいずれか一項に記載の動物用保護カラーを動物の頭部および頸部の周囲に巻着するステップと、
前記閉鎖機構を締結するステップと
を含む、方法。
（項目３７）
動物の挙動を制御する方法であって、
項目１〜３６のいずれか一項に記載の動物用保護カラーを動物の頭部および頸部の周囲に巻着するステップと、
前記閉鎖機構を締結するステップと
を含む、方法。
【図面の簡単な説明】
【０００６】
【図１】図１は、平坦な組み立てられていない状態にある、保護カラーの非限定的実施形態の上面図を図示する。
【０００７】
【図２】図２は、平坦な組み立てられていない状態にある、保護カラーの非限定的実施形態の底面図を図示する。
【０００８】
【図３】図３は、平坦な組み立てられていない状態にある、保護カラーの非限定的実施形態の上面図を図示する。
【０００９】
【図４】図４は、平坦な組み立てられていない状態にある、保護カラーの非限定的実施形態の上面図を図示する。
【００１０】
【図５】図５は、平坦な組み立てられていない状態にある、保護カラーの非限定的実施形態の底面図を図示する。
【００１１】
【図６】図６は、組み立てられた状態にある、保護カラーの非限定的実施形態の斜視図を図示する。
【００１２】
【図７】図７は、組み立てられた状態にある、保護カラーの非限定的実施形態の上面図を図示する。
【００１３】
【図８】図８は、組み立てられた状態にある、保護カラーの非限定的実施形態の斜視図を図示する。
【００１４】
【図９】図９は、組み立てられた状態にある、保護カラーの非限定的実施形態の斜視図を図示する。
【００１５】
【図１０】図１０は、組み立てられた状態にある、保護カラーの非限定的実施形態の側面図を図示する。
【００１６】
【図１１】図１１は、組み立てられた状態にある、保護カラーの非限定的実施形態の斜視図を図示する。
【００１７】
【図１２】図１２は、折畳された状態にある、保護カラーの非限定的実施形態の側面図を図示する。
【発明を実施するための形態】
【００１８】
（詳細な説明）
本明細書に説明される開示は、概して、本明細書では「保護カラー」と称される、動物用保護カラーに関する。保護カラーは、動物が、本能的に、動物が有する創傷、発疹、もしくは他の病気を舐めること、噛むこと、掻くこと、または概してさらに悪化させることを防止するために使用される。具体的には、本明細書に説明される保護カラーは、軽量かつ快適であり、装着対象の改良された可視性を有する一方、依然として、動物の移動を抑制するように機能する。さらに、本開示の動物用保護カラーは、洗浄、および、保管のための折畳が容易である。保護カラーは、任意の動物にちょうど適合するように作製されることができる。多くの場合、カラーは、イヌ、ネコ、ウサギ、小型のブタ、および同等物等、一般的家庭用ペットに適合するようにサイズを合わせられる。
【００１９】
本明細書に説明される開示は、参照番号が同じまたは機能的に類似する要素を示す、図を参照する。具体的構成および配列が議論されるが、これは、例証目的のためだけに行われ、本開示の範囲を限定することをいかようにも意図するものではないことを理解されたい。付加的構成および配列が、本開示の精神および範囲から逸脱することなく、使用されることができる。
【００２０】
別様に定義されない限り、本開示において使用される技術的用語は、本開示が属する当業者によって一般に理解されるものと同一意味を有する。以下の非限定的定義は、そのような用語が与えられるべき非限定的例示的範囲を含む、明細書および請求項の明確かつ一貫した理解を提供する。
【００２１】
用語「１つ（ｏｎｅ、ａ、またはａｎ」」は、本開示では、別様に示されない限り、「少なくとも１つ」または「１つまたは複数」を指すために使用される。
【００２２】
用語「標準的ペット用カラー」または「識別カラー」は、本明細書で使用される場合、家庭用動物またはペットによって装着されるカラーを指す。そのようなカラーは、リーシュに取り付けられることができる。多くの場合、そのようなカラーは、動物識別情報および／または所有者連絡先情報を含む。
【００２３】
用語「扇形状」または「２次元」は、同義的に使用され、別様に定義されない限り、組み立てられていない平坦形状における保護カラーを指す。
【００２４】
用語「円錐台形」は、本明細書で使用される場合、先端が切断された円錐または角錐に類似するに類似する３次元形状を指す。用語は、３つ、４つ、５つ、６つ、７つ、８つ、またはそれよりも多い辺を有する、類似円錐形または角錐形状を含む。
【００２５】
用語「円錐台形」または「３次元」は、同義的に使用され、別様に定義されない限り、組み立てられ、使用の準備ができた状態にある、保護カラーを指す。
【００２６】
用語「パネル」は、本明細書で使用される場合、マルチ区分またはマルチパネル配列の個々の区分を指す。パネルは、幅が変動し得るが、概して、同一全長を有する。パネルは、概して、動物用保護カラーの区分の境界を定める。パネルは、同一または異なる材料から作製されることができる。
【００２７】
用語「交互構成」は、本明細書で使用される場合、少なくとも２つの異なるパネルの使用を指し、同じパネルが相互に隣接しない。非限定的実施例は、パネル１、パネル２、パネル１、パネル２等の構成、またはパネル１、パネル２、パネル３、パネル１、パネル２、パネル３等の構成、またはパネル１、パネル２、パネル３、パネル２、パネル１等の構成、またはパネル１、パネル２、パネル３、パネル２、パネル３、パネル２、パネル１等の構成を含む。
【００２８】
用語「支持リブ」は、本明細書で使用される場合、材料の幅狭細片を指し、その主要目的は、所与の形状の維持を支援することである。支持リブは、概して、幅より長い長さを有する。支持リブは、多くの異なる材料から作製されることができる。非限定的実施例は、プラスチック、重いまたは堅い布状材料、ファイバガラス、木材、骨、および同等物を含む。
【００２９】
図１および図２を参照すると、保護カラー（１）は、パネル（２、３）のための少なくとも２つの異なる材料を使用する、マルチパネル設計である。保護カラー（１）は、組み立てられておらず、平坦（すなわち、２次元）に置かれると、扇形状であり、パネル（２、３）は、略台形形状である。個々のパネルは、上部縁（４）から底部縁（５）まで延びる、同一長さを有する。個々のパネルの幅は、近隣パネル間の距離である。個々のパネルの幅は、異なるまたは同一であることができる。パネル材料は、形状を維持するために堅性であり、かつ保護カラーが保管のために折畳されることを可能にするために可撓性であるべきである。パネルのための材料の非限定的実施例は、キャンバス、デニム、複合布地（例えば、Ｇｏｒｅ−Ｔｅｘ（Ｒ）布地、Ｗ．Ｌ．  Ｇｏｒｅ  ａｎｄ  Ａｓｓｏｃｉａｔｅｓ）、室内装飾用布地、合成布地、プラスチック、シリコーン、ゴム、メッシュ、アーセル、ポリエチレン、ポリプロ、ポリプロピレン、および同等物を含む。
【００３０】
一実施形態では、パネル（２、３）のうちの少なくとも１つは、透明または薄く着色される。別の実施形態では、パネルのうちの少なくとも２つまたは３つまたは４つまたは５つは、透明または薄く着色される。透明または薄く着色されたパネル（単数または複数）は、カラーを装着している動物にとって、より優れた可視性を可能にする。別の実施形態では、パネル（２、３）のうちの少なくとも１つは、メッシュである。別の実施形態では、パネルのうちの少なくとも２つまたは３つまたは４つまたは５つは、メッシュである。メッシュパネル（単数または複数）は、装着対象にとって、より優れた通気性を可能にする。一実施形態では、保護カラーは、透明およびメッシュパネルの両方を含む。一実施形態では、少なくとも１つのパネルは、他のパネルより堅性の材料から作製され、これにより、より堅性のパネルが、剛性を提供し、他のパネルがあまり堅性ではない材料から作製されることを可能にする。別の実施形態では、透明材料は、より堅性の材料である。
【００３１】
一実施形態では、パネル（２、３）は、材料の単一層から作製される。別の実施形態では、少なくとも１つのパネルまたは複数のパネルは、材料の複数の層から作製される。別の実施形態では、マルチレイヤパネルは、材料の少なくとも２つまたは少なくとも３つまたは少なくとも４つまたは少なくとも５つの層から作製される。別の実施形態では、単一材料が、複数の層のために使用される。別の実施形態では、異なる材料が、複数の層のために使用される。別の実施形態では、異なる層のための異なる材料は、芯地、接着地、および同等物等のあまり堅性ではない材料を含む。
【００３２】
図１および図２を参照すると、保護カラー（１）は、上部縁（４）と、底部縁（５）と、第１の端部（６）と、第２の端部（７）とを有する。上部縁は、組み立てられた状態（すなわち、３次元）にあるとき、装着対象の頸部を囲繞するように設計される。底部縁は、上部縁から上向きおよび外向きに突出し、装着対象の頭部を囲繞する。第１の端部（６）は、第２の端部（７）に取り付けられ、組み立てられた３次元円錐台状形状を生成するように設計される。
【００３３】
一実施形態では、上部縁は、上部縁に取り付けられる少なくとも１つのループ（１０）を有する。別の実施形態では、上部縁は、上部縁に取り付けられる少なくとも２つ、または３つ、または４つ、または５つ、または６つのループを有する。一実施形態では、ループは、固定サイズである。別の実施形態では、ループは、調節可能である。別の実施形態では、ループは、ループを形成するように接続されることができる２つの細片である。別の実施形態では、ループは、長細片であり、長細片は、ループを形成するように、それ自体に戻って取り付けられる。２つの細片または１つの長細片実施形態を使用するとき、細片を取り付ける非限定的方法は、スナップ、フックおよびループ、ボタン、ならびに同等物を含む。２つの細片を使用するとき、細片は、ともに結着されることができる。一実施形態では、ループは、動物の識別カラーが通過することを可能にするために十分に大きい。
【００３４】
別の実施形態（図示せず）では、上部縁は、上部縁に取り付けられる上部縁の長さを延長させるバンドを有する。バンドは、快適性を増加させ、および／または装着対象への擦傷を低減させることができる。一実施形態では、バンドは、上部縁から０．５インチ延在する。別の実施形態では、バンドは、上部縁から１インチまたは１．５インチまたは２インチ延在する。別の実施形態では、ループおよびバンドは両方とも、上部縁から延在する。バンドは、装着対象にとってのカラーの快適性を増加させることができる。
【００３５】
一実施形態では、第１の端部（６）および第２の端部（７）は、少なくとも１つの閉鎖機構を含む。閉鎖機構（８、９）は、第１の端部を第２の端部に接続し、３次元円錐台状形状のデバイスを生成するために使用される。一実施形態では、閉鎖機構は、調節可能であり、少なくとも１つの保護カラーサイズを可能にする。別の実施形態では、閉鎖機構は、図１、図２、図４、および図５に示されるように、少なくとも２つまたは３つまたは４つまたは５つの異なるサイズを可能にする。
【００３６】
閉鎖機構は、種々の異なる機構であることができる。非限定的閉鎖機構は、フックおよびループ（単一かつＶｅｌｃｒｏ（登録商標）ファスナ（Ｖｅｌｃｒｏ  Ｉｎｄｕｓｔｒｉｅｓ、Ｃｕｒａｃａｏ））、スナップ、ジッパ、フロッグ、かぎホック、クリップ、ボタン、バックル、クイックリリースバックル、ならびに同等物を含む。一実施形態では、取付機構は、サイズ毎に上部縁から底部縁までの保護カラーの長さの少なくとも半分を被覆する、Ｖｅｌｃｒｏファスナの単一細片である（図４および図５、要素８および要素９）。別の実施形態では、閉鎖機構は、サイズ毎に上部縁から底部縁までの保護カラーの長さに延びる、ジッパである。本実施形態では、多くの場合、ジッパの片側は、いずれかの端部（例えば、６）に取り付けられる一方、複数の噛合側は、他端（例えば、７）に取り付けられる。別の実施形態では、閉鎖機構は、図１および図２の要素８および要素９に示されるように、サイズ毎に、少なくとも２つの別個の取付点を有する。例えば、Ｖｅｌｃｒｏファスナの少なくとも２つのスポット、または少なくとも２つのスナップ、または少なくとも２つのフロッグ、または少なくとも２つのフックおよびループ、ならびに同等物である。別の実施形態では、閉鎖機構は、サイズ毎に、少なくとも３つまたは少なくとも４つまたは少なくとも５つの別個の取付点である。別の実施形態では、閉鎖機構は、少なくとも１つのクイックリリースクリップまたはバックルであり、少なくとも１つのクイックリリースクリップまたはバックルは、調節可能ストラップを有することにより、種々のサイズを可能にする。図１および図２を参照すると、一実施形態では、閉鎖機構は、その組み立てられていない状態にある保護カラーの上部から見たとき、取付機構の半分（例えば、８）が視認可能であり、かつ、その組み立てられていない状態にある保護カラーの底部から見たとき、取付機構の他の半分（例えば、９）が、視認可能であるように、反対の上部側および底部側にある。
【００３７】
プラスチック保護カラーは、プラスチックの剛性を使用して、円錐台状形状を維持する。より軽量の可撓性材料を使用するとき、種々の技法を使用して、構造支持を改良する必要があり得る。非限定的方法は、パイピング、ヘミング、およびステー等の種々の縫製技法の使用を含む。代替として、限定ではないが、テープ、ステー、および支持リブ（集合的に、「支持リブ」と称される）を含む、別個の支持が、特に、より大きくサイズを合わせられたカラーを用いる場合、円錐台状形状の維持を支援するために使用されることができる。図３を参照すると、一実施形態では、支持リブは、破線（１２）によって例示されるように、上部縁および底部縁と垂直に延びる。本実施形態では、支持リブは、上部縁（４）から底部縁（５）まで測定される長さの少なくとも半分である。本実施形態では、リブは、中心に、または、１つのパネルが別のパネルに取り付けられる継目に沿って等、パネル内の任意の場所に設置されることができる。別の実施形態では、支持リブは、１つのパネルが別のパネルに取り付けられる継目内に埋設される。別の実施形態では、支持リブは、破線（１３）によって例示されるように、上部縁および底部縁と平行に延びる。本実施形態では、支持リブは、パネルの幅より短い。本実施形態では、リブは、パネルの中心に、または、パネルの底部縁に沿って等、パネル内の任意の場所に設置されることができる。支持リブは、様々な度合の可撓性を伴う、多くの異なる材料から作製されることができる。支持リブ材料の非限定的実施例は、プラスチック、重いまたは堅い布状材料、ファイバガラス、骨、木材、および同等物を含む。一実施形態では、パネルは、複数の層を有し、支持リブは、層間に固着される。別の実施形態では、支持リブは、パネルが相互に取り付けられる区域（要素１１）内に固着される。
【００３８】
随意に、保護カラーは、保護カラーを装着対象上に取り付ける際にユーザが向きを合わせることを支援するための標識（１４）を含むことができる。
【００３９】
一般に、保護カラーは、ある程度の可撓性を有する、軽量材料から作製される。パネルのための材料の非限定的実施例は、キャンバス、複合布地、デニム、室内装飾用布地、複合布地、透明プラスチック、ゴム、メッシュ、および同等物を含む。パネルは、恒久的または非恒久的に、相互に取り付けられてもよい（要素１１によって表されるように）。恒久的方法は、縫着、糊着、接着、高周波溶接、両面テープ、および同等物を含む。非恒久的方法は、フックおよびループ（例えば、Ｖｅｌｃｒｏファスナ）、取り外し可能両面テープ（例えば、３Ｍ  ＣｏｍｍａｎｄＴＭ細片）、ならびに同等物を含む。非恒久的取付方法の使用は、エンドユーザが、パネルを取り替え、例えば、色を変化させる、またはパネルが曇った状態になる場合、透明パネルを交換することを可能にする。
【００４０】
一実施形態では、パネルは、材料の単一層であることができる。別の実施形態では、パネルは、マルチレイヤであることができる。別の実施形態では、パネルは、材料の２つまたはそれよりも多い層であることができる。別の実施形態では、パネルは、材料の３つまたはそれよりも多い層であることができる。別の実施形態では、複数の層は、同一材料であることができる。別の実施形態では、複数の層は、２つまたはそれよりも多い異なる材料であることができる。別の実施形態では、複数の層は、３つまたはそれよりも多い異なる材料であることができる。別の実施形態では、複数の層は、４つまたはそれよりも多い異なる材料であることができる。一実施形態では、複数の層は、芯地または類似材料を含み、パネルを補剛または補強することができる。別の実施形態では、複数の層は、支持リブを固着させるために使用されることができる。
【００４１】
一実施形態では、上部縁、底部縁、第１の端部、および第２の端部は、境界（１５）で仕上げられる。一実施形態では、境界は、パネルのほころびを防止することに役立つ。別の実施形態では、境界は、装着対象の快適性を増加させる。境界材料の非限定的実施例は、ナイロンウェビング、反射テープ、接着縁取り、バイアステープ、および同等物を含む。
【００４２】
保護カラーは、反復使用のために設計される。故に、保護カラーは、容易かつコンパクトな保管を可能にするために、圧潰可能または折畳可能であるべきである。一実施形態では、保護カラーは、組み立てられていない状態では、圧潰可能または折畳可能であるが、組み立てられると、その形状を維持する、材料から作製される。別の実施形態では、支持リブを含むことは、依然として、保護カラーが折畳されることを可能にする。別の実施形態では、カラーを保護し、清潔に保つために、保護カラーは、保管容器内に保管される。
【００４３】
一実施形態では、保護カラーは、清掃が容易であり、かつ／または汚れが付きにくい、材料から作製される。別の実施形態では、材料は、機械洗浄可能である。別の実施形態では、材料は、急速乾燥材料である。
【００４４】
本開示は、種々の異なる目的のために使用されることができる。非限定的実施例は、創傷または罹患区域を舐めることまたは噛むことを防止することと、局所的に塗布された医薬品を舐めることを防止することと、頭部上の区域を擦ることまたは刺激することを防止することと、過度の毛繕いを防止することと、挙動制御を補助することと、動物が噛む影響を防止することとまたは低減させることとを含む。
【００４５】
以下の段落は、本開示のさらに非限定的例示的実施形態を提供する。
【００４６】
一実施形態では、動物用保護カラーは、（１）第１の材料の少なくとも１つの層を備える少なくとも１つの第１のパネルと、（２）第２の材料の少なくとも１つの層を備える少なくとも１つの第２のパネルと、（３）上部縁と、（４）底部縁と、（５）第１の端部と、（６）第２の端部とを備える（ａ）２次元扇形状のマルチパネルアレイと、（ｂ）少なくとも１つの閉鎖機構とを備え、少なくとも１つの第１のパネルおよび少なくとも１つの第２のパネルは、相互に隣接し、少なくとも１つの第１のパネルおよび少なくとも１つの第２のパネルは、上部縁から底部縁まで延在する長さを有し、第１の材料は、透明または非透明のいずれかであり、第２の材料は、透明または薄く着色され、上部縁は、底部縁より短く、閉鎖部は、第１の端部を第２の端部に取り付け、第２の端部への第１の端部の取付は、３次元円錐台状構造を形成する。別の実施形態では、動物用保護カラーはさらに、少なくとも２つの第２のパネルを備える。別の実施形態では、少なくとも２つの第２のパネルは、第１のパネルによって分離される。別の実施形態では、少なくとも２つの第２のパネルは、第１の端部および第２の端部が取り付けられると、反対側に位置付けられる。別の実施形態では、動物用保護カラーはさらに、少なくとも３つの第２のパネルを備える。別の実施形態では、動物用保護カラーはさらに、少なくとも２つの第１のパネルを備え、少なくとも２つの第１のパネルは、少なくとも３つの第２のパネルを分離する。別の実施形態では、少なくとも３つの第２のパネルは、第１の端部および第２の端部が取り付けられると、３つのパネルのうちの２つが反対側にあるように位置付けられる。
【００４７】
別の実施形態では、第１のパネルはさらに、第１の材料の少なくとも２つの層を備える。別の実施形態では、第１のパネルはさらに、第１の材料の少なくとも１つの層と、第３の材料の少なくとも１つの層とを備える。別の実施形態では、第１のパネルはさらに、第１の材料の少なくとも１つの層と、第３の材料の少なくとも１つの層と、第４の材料の少なくとも１つの層とを備える。
【００４８】
別の実施形態では、第１のパネルおよび第２のパネルは、交互構成にある。別の実施形態では、交互構成は、第１のパネル、第２のパネル、第１のパネル、第２のパネル等である。
【００４９】
別の実施形態では、第１、第２、第３、または第４の材料は、キャンバス、デニム、室内装飾用布地、複合布地、合成布地、プラスチック、ゴム、反射材料、シリコーン、アーセル、ポリエチレン、ポリプロ、ポリプロピレン、およびメッシュから成る群から選択される。別の実施形態では、第２の材料は、プラスチック、アーセル、ポリエチレン、ポリプロ、ポリプロピレン、およびゴムから成る群から選択される。別の実施形態では、第１の材料は、キャンバスであり、第２の材料は、透明プラスチックである。別の実施形態では、第１の材料は、メッシュであり、第２の材料は、透明プラスチックである。別の実施形態では、第１の材料は、複合布地であり、第２の材料は、透明プラスチックである。別の実施形態では、第１の材料は、反射性であり、第２の材料は、透明である。
【００５０】
別の実施形態では、少なくとも１つの第１のパネルおよび少なくとも１つの第２のパネルは、ともに糊着される。別の実施形態では、少なくとも１つの第１のパネルおよび少なくとも１つの第２のパネルは、ともに縫着される。別の実施形態では、少なくとも１つの第１のパネルおよび少なくとも１つの第２のパネルは、ともに高周波溶接される。別の実施形態では、少なくとも１つの第１のパネルおよび少なくとも１つの第２のパネルは、ともにテープ留めされる。別の実施形態では、少なくとも１つの第１のパネルおよび少なくとも１つの第２のパネルは、締結機構を使用してともに保持される。別の実施形態では、締結機構は、フックおよびループ、スナップ、ジッパ、ならびにかぎホック留めから成る群から選択される。
【００５１】
別の実施形態では、動物用保護カラーはさらに、複数の閉鎖機構を備え、複数の閉鎖機構は、３次元円錐台状構造に組み立てられると、１つよりも多いサイズを可能にするように配列される。別の実施形態では、少なくとも１つの閉鎖機構は、フックおよびループ、スナップ、ボタン、フロッグ、クリップ、バックル、ジッパ、ならびにクイックリリースバックルから成る群から選択される。別の実施形態では、少なくとも１つの閉鎖機構は、スナップである。別の実施形態では、少なくとも１つの閉鎖機構は、フックおよびループ（すなわち、Ｖｅｌｃｒｏ）である。別の実施形態では、少なくとも１つの閉鎖機構は、クリップである。別の実施形態では、少なくとも１つの閉鎖機構は、クイックリリースバックルである。別の実施形態では、少なくとも１つの閉鎖機構は、ジッパである。
【００５２】
別の実施形態では、動物用保護カラーはさらに、上部縁に取り付けられる少なくとも１つのループを備え、ループは、標準的ペット用カラーに適応するために十分に大きい。別の実施形態では、動物用保護カラーはさらに、上部縁に取り付けられる少なくとも２つのループを備え、ループは、標準的ペット用カラーに適応するために十分に大きい。別の実施形態では、動物用保護カラーはさらに、上部縁に取り付けられる少なくとも３つのループを備え、ループは、標準的ペット用カラーに適応するために十分に大きい。別の実施形態では、動物用保護カラーはさらに、上部縁に取り付けられる少なくとも４つのループを備え、ループは、標準的ペット用カラーに適応するために十分に大きい。別の実施形態では、動物用保護カラーはさらに、上部縁から延在する縁取りを備える。
【００５３】
別の実施形態では、動物用保護カラーはさらに、少なくとも１つの支持リブを備え、支持リブは、上部縁から底部縁まで測定される長さの少なくとも半分であり、支持リブは、本質的に、上部縁および底部縁に垂直である。別の実施形態では、動物用保護カラーはさらに、少なくとも２つの支持リブを備え、支持リブは、上部縁から底部縁まで測定される長さの少なくとも半分であり、支持リブは、本質的に、上部縁および底部縁に垂直である。別の実施形態では、動物用保護カラーはさらに、少なくとも３つの支持リブを備え、支持リブは、上部縁から底部縁まで測定される長さの少なくとも半分であり、支持リブは、本質的に、上部縁および底部縁に垂直である。別の実施形態では、動物用保護カラーはさらに、少なくとも４つの支持リブを備え、支持リブは、上部縁から底部縁まで測定される長さの少なくとも半分であり、支持リブは、本質的に、上部縁および底部縁に垂直である。別の実施形態では、動物用保護カラーはさらに、少なくとも１つの支持リブを備え、支持リブは、本質的に、上部縁および底部縁に平行である。別の実施形態では、動物用保護カラーはさらに、少なくとも２つの支持リブを備え、支持リブは、本質的に、上部縁および底部縁に平行である。別の実施形態では、動物用保護カラーはさらに、少なくとも３つの支持リブを備え、支持リブは、本質的に、上部縁および底部縁に平行である。別の実施形態では、動物用保護カラーはさらに、少なくとも４つの支持リブを備え、支持リブは、本質的に、上部縁および底部縁に平行である。別の実施形態では、リブは、マルチレイヤパネル内の層間に固着される。別の実施形態では、リブは、パネルが取り付けられる重複領域間に固着される。
【００５４】
別の実施形態では、動物用保護カラーはさらに、上部縁、底部縁、第１の端部、および第２の端部に沿って境界材料を備える。別の実施形態では、境界材料は、ナイロンウェビング、反射テープ、接着縁取り、およびバイアステープから成る群から選択される。別の実施形態では、境界材料は、ナイロンウェビングである。別の実施形態では、境界材料は、反射テープである。
【００５５】
別の実施形態では、動物がその身体上の区域を舐める、噛む、または掻く能力を制限する方法であり、本方法は、（１）本明細書に説明されるような動物用保護カラーを動物の頭部および頸部の周囲に巻着するステップと、（２）閉鎖機構を締結するステップとを含む。別の実施形態では、動物の挙動を制御するための方法であり、本方法は、（１）本明細書に説明されるような動物用保護カラーを動物の頭部および頸部の周囲に巻着するステップと、（２）閉鎖機構を締結するステップとを含む。
【図１】
0006448163.tif 000002
【図２】
0006448163.tif 000003
【図３】
0006448163.tif 000004
【図４】
0006448163.tif 000005
【図５】
0006448163.tif 000006
【図６】
0006448163.tif 000007
【図７】
0006448163.tif 000008
【図８】
0006448163.tif 000009
【図９】
0006448163.tif 000010
【図１０】
0006448163.tif 000011
【図１１】
0006448163.tif 000012
【図１２】
0006448163.tif 000013